【事件の表示】
　特許第３０８９７４９号「化粧料」の請求項１に係る特許に対する特許異議の申立てについて、次のとおり決定する。
【結　論】
　訂正を認める。
　特許第３０８９７４９号の請求項１に係る特許を取り消す。
【理　由】
Ｉ．手続きの経緯
　本件特許第３０８９７４９号の請求項１に係る発明についての出願は、平成３年９月２７日に特許出願され、平成１２年７月２１日にその特許権の設定登録がなされ、その後、谷内啓子より特許異議の申立てがなされ、取消しの理由が通知され、その指定期間内に訂正請求がなされたものである。
　
II．訂正の適否
II−１　訂正の内容
　特許権者は、願書に添付した明細書を以下のように訂正することを求めている。
　
ａ．特許請求の範囲の減縮を目的として、請求項１を下記のとおり訂正する。
　
「【請求項１】　オレイン酸（シス−Δ９−オクタデセン酸）の含量が８５重量％以上で、シス−Δ９−不飽和脂肪酸としての含量が９０重量％以上である高純度のオレイン酸の誘導体を、油性成分として含有することを特徴とする化粧料。」
　
ｂ．明瞭でない記載の釈明を目的として、発明の詳細な説明の【０００４】、【００１４】、【００１５】、【００１７】、【００１８】及び【００１９】における、「オレイン酸またはその誘導体」を「オレイン酸の誘導体」と訂正する。
　
II−２　訂正の適否の検討
　
　ａについて
　上記請求項１に係る訂正は、化粧料に配合する成分「オレイン酸またはその誘導体」を「オレイン酸の誘導体」に限定するものであり、特許請求の範囲を減縮するものであることは明らかである。
　又、この訂正は、願書に添付した明細書記載された事項の範囲内のものであり、実質的に特許請求の範囲を拡張し、又は変更するものでもない。
　
　ｂについて
　発明の詳細な説明に係る訂正は、請求項１の訂正に伴って明細書の詳細な説明を整合が取れるよう訂正するものであり、明瞭でない記載の釈明をするものである。
　そして、上記ａで述べたように、これら訂正は、願書に添付した明細書に記載された事項の範囲内のものであり、実質的に特許請求の範囲を拡張し、又は変更するものでもない。
　
　以上のとおりであるから、上記訂正は、特許法第１２０条の４第３項において準用する平成６年法律第１１６号による改正前の特許法第１２６条第１項ただし書き、第２項及び第３項の規定に適合するので、当該訂正を認める。
　
III．特許異議の申立てについて
III−１　本件発明
　上記IIで示したとおり、上記訂正が認められるので、本件の請求項１に係る発明（以下、本件発明という。）は、上記訂正に係る訂正明細書の特許請求の範囲に記載されたとおりのものである（上記II−２ａ参照）。
　
III−２　引用刊行物に記載された発明
　当審で通知した、取消の理由で引用した下記刊行物２は、「最近の高純度原料・添加剤の研究開発の動向と香粧品開発」と題する論文に係るものであって、以下の事項が記載されている。
　
　（ｉ）第１２頁右欄最下行〜第１３頁左欄第４行
　「精製の主な目的は、安全性の向上、臭気成分、着色成分の除去、安定性に悪影響を及ぼす不純物或いは一部の成分の除去であり、精製は化粧品原料を使用する上で重要なことである。」
　
　（ii）第１７頁左欄第１行〜同右欄第５行
　「３−２−１オレイン酸およびその誘導体
　従来、オレイン酸は、有用な機能を有するにもかかわらず、臭気、着色及び経時安定性が悪いなどのため、使用上制約があった。しかしながら、日本油脂（株）は、高度の製造技術、精製技術により無色、無臭の高純度のオレイン酸を得ることに成功した。・・・（略）・・・このものは、「ニッサンエクストラオレイック・シリーズ」として市販されている。　高純度のオレイン酸は、天然油脂から単離したもので、１）ほとんど無色、無臭である、２）安定性に優れている、３）皮膚刺激性が少なく安全性が高い、固有の物性を発揮するなどの特徴を有している。」
　
（iii）第１７頁右欄第６行〜第１８頁左欄下から３行
　「図６のガスクロマトグラムに示されるように、市販のオレイン酸は純度が約６０％で１００以上の成分からなるのに対し、高純度のオレイン酸はワンピークであった。酸化安定性の結果を表１に示す。指標として過酸化物価・・・（略）・・・を測定した結果、高純度のオレイン酸（エクストラオレイック−９９）は、ＰＯＶ、ＣＯＶとも変化せず、エクストラオレイック−９０も極めて高い酸化安定性を示した。また、色相安定性についても評価した結果エクストラオレイック−９９、９０とも極めて安定であり、不純物の影響が大きいことがわかった。安全性評価の一環として実施した河合法による皮膚刺激性試験の結果を表２に示す。エクストラオレイック−９９は、皮膚に対して無刺激、エクストラオレイック−９０も皮膚刺激性が少ないことが確認された。・・・（略）・・・以上のように高純度化することによって酸化安定性、安全性が向上し、使用しやすくなったことは化粧品技術者にとって非常に価値のあることである。」
　
（iv）第１８頁左欄下から２行〜同右欄第４行
　「これらの誘導体も高純度のオレイン酸と同様、酸化安定性などに優れている。主な誘導体としては、モノオレイン酸ソルビタン、モノオレイン酸グリセロール、トリオレイン酸グリセロール、モノオレイン酸ジグリセロールなどがあり、界面活性剤や油性成分として幅広く使用できる。
　
（ｖ）表１のエクストラオレイック−９９の項には、過酸化物価、不飽和カルボニル価、飽和カルボニル価の値が、それぞれ０．００、０．００、０．３０であることが示されている。
　
（vi）皮膚刺激性を評価する表２には、「試料」として、オレイック−９９のメチルエステル、オレイック−９９のグリセリントリエステルが記載されている。
　
（vii）図６には、高純度オレイン酸（ＮＩＳＳＡＮ　ＥＸＴＲＡ　ＯＬＥＩＣ−９９）と市販オレイン酸（ＬＬ−タイプ）のガスクロマトグラムにおいて、前者はワンピークであることが示されている。図６中には、ＧＬＣの条件として、溶媒はイソオクタンであること、カラム（キャピラリー）は「ＳＰ−２５６０、１００ｍｘ０．２５ｍｍ」と記載されている。
　
　同刊行物１には、化粧品に使用される原料として、オレイン酸、オレイン酸デシル、セスキオレイン酸ソルビタン、トリオレイン酸ソルビタン、トリオレイン酸ポリオキシエチレンソルビタン（２０Ｅ．Ｏ．）、親油型モノオレイン酸グリセリン、モノオレイン酸ソルビタン、モノオレイン酸ポリエチレングリコール、モノオレイン酸ポリオキシエチレンソルビタン（６Ｅ．Ｏ．）、モノオレイン酸ポリオキシエチレンソルビタン（２０Ｅ．Ｏ．）が示され、オレイン酸については、「近年、９９％以上の高純度精製オレイン酸が市販され」たこと（第２５１〜２５２頁の性状の項）、「界面活性剤やオレイン酸エステルの原料となる」こと（第２５２頁応用の項）、オレイン酸デシルについては、「天然の油脂を原料にした高純度のオレイン酸と、同じく天然の油脂を原料にした高純度のデシルアルコールをエステル化することによって得られ」ること（第２５３頁の基原の項）、「化粧品のクリーム、乳液、メーキャップ製品及びスキンンオイルなどに無刺激、湿潤力、浸透作用のある油分として使用されること」（同応用の項）が記載され、トリオレイン酸ソルビタンについては、「ソルビットと脂肪酸（オレイン酸）をソルビット１に対して３の割合（モル比）で・・・（略）・・・でエステル化反応を行う」（第７３７頁製法の項）と記載されている。
　
　同刊行物３、４には、オレイン酸の製造方法に係る発明が記載され（特許請求の範囲）、刊行物３の発明の効果の項の第６欄第１４行〜第２７行には、得られた高純度精製オレイン酸は、無色無臭であり、劣化の原因となる酸化生成物などの微量不純物を含まない、熱、酸素及び薬剤に対する安定性に優れ、生体に対して安全性が高い、シャープな結晶多型現象などオレイン酸固有の物性を示すこと、及び、医薬品、香粧品の分野などの幅広い分野で利用することができることが記載されている。又、刊行物４の第７欄第２１行〜第３６行にも同様な記載がある。そして、刊行物３、４の実施例には、精製オレイン酸中のオレイン酸の純度が９９％前後のものが記載されている。
　
　　　　　　　　　　　　　　　　記
　
　　刊行物１：日本公定書協会編、「化粧品原料基準　第二版注解Ｉ」、薬事日報社、１９８４年（特許異議申立人の提出した甲第１号証）第２５０〜２５２頁、第２５３〜２５４頁、第６２６〜６２７頁、第７３５〜７３８頁、第７３９〜７４０頁、第１１７８頁、
　　刊行物２：ＦＲＡＧＲＡＮＣＥ　ＪＯＵＲＮＡＬ，１９９１−８，１２−２２，１９９１年８月１５日（同甲第２号証）
　　刊行物３：特公平２−５７１５０号公報（同甲第４号証）
　　刊行物４：特公平３−３５３０５号公報（同甲第５号証）
　
III−３　対比・判断
III−３−１　刊行物２に記載された発明　
　刊行物２には、エクストラオレイック−９９が高純度のオレイン酸市販品であることが記載されている（上記（ii）、（iii））。そして、刊行物２の上記（iv）でいうオレイン酸の「これらの誘導体」及びその例示に係る「モノオレイン酸ソルビタン、モノオレイン酸グリセロール、トリオレイン酸グリセロール、モノオレイン酸ジグリセロール」がエクストラオレイック−９９の誘導体であることは、上記（iv）の記載に先立つ記載に両者が記載されていることから明らかである。又、オレイック−９９のメチルエステル、オレイック−９９のグリセリントリエステルの両者は、「エクストラ」との表示はないが、これら成分が記載されている表２の説明中にエクストラオレイック−９９のことのみ言及されていることから、エクストラオレイック９９の誘導体であると解するのが自然である。
　そうすると、刊行物２には、エクストラオレイック−９９の誘導体が油性成分として使用できることが記載されている（上記（iv））。
　ところで、刊行物２には、エクストラオレイック−９９の純度については記載はないが、その図６と本件特許明細書の図１を比較すると、両者は、同じ溶媒（イソオクタン）で、同じキャピラリィカラム、すなわち、本件特許明細の【０００６】で説明する脂肪酸の炭素鎖長と二重結合の数の違いはもちろんのこと二重結合の位置や立体構造の異なる異性体をも分離することのできるキャピラリィカラム「ＳＰ−２５６０：１００ｍｘ０．２５ｍｍ」を用いて分析しており、両者の示すピークは共に同様な位置にワンピークを示すことから、刊行物２におけるエクストラオレイック−９９は、少なくとも本件特許請求の範囲で規定するオレイン酸の純度内のものと認められる。なお、このことは、刊行物２において「ニッサンエクストラオレイック・シリーズ」と言及されているもののパンフレットの第４頁「２　ニッサンエクストラシリーズの種類」の項の表２に「エクストラ　オレイック−９９」の「純度（％，Ｍｉｎ）」が９９と記載されていることからも確認される。
　
III−３−２　本件発明と刊行物２に記載された発明との対比・判断
（１）本件発明と刊行物２に記載されている発明を比較すると、上述のように、刊行物２のエクストラオレイック−９９は、純度が「（シス−Δ９−オクタデセン酸）の含量が８５重量％以上で、シス−Δ９−不飽和脂肪酸としての含量が９０重量％以上である高純度のオレイン酸」の範囲内のものであるから、両者は、「（シス−Δ９−オクタデセン酸）の含量が８５重量％以上で、シス−Δ９−不飽和脂肪酸としての含量が９０重量％以上である高純度のオレイン酸誘導体」を油性成分とするものであるが、本件発明が、当該誘導体を油性成分として含む化粧料であるのに対し、刊行物２に係る発明は、当該誘導体が油性成分として使用できるとの記載のみである点で一応相違する。
　
　上記相違点について検討する。
　高純度の化粧料原料についての最近の動向について解説した刊行物２において、エクストラオレイック−９９の誘導体が油性成分として使用できるとの記載が化粧料の油性成分として使用できることを意味していることは明らかであり、化粧料における油性成分は汎用成分であって、具体的な化粧料（例えば、化粧水、乳液、）に応じて適宜配合するものであるから、刊行物２には、当該誘導体を油性成分として含む化粧料が実質的に記載されているということができる。
　してみれば、本件発明は、刊行物２に記載された発明である。
　なお、エクストラオレイック−９９及びその誘導体については、刊行物２の頒布日前、既に化粧料成分として好適であるとして販売されていたものであるから、当該成分の入手困難性はない（例えば、当該技術分野で広く頒布されているところのフレグランスジャーナルの１９９０年１１月号の後付に掲載されている日本油脂の広告には、「ニッサンの化粧品基材　高純度不飽和脂肪酸エクストラシリーズ」としてエクストラオレイック−９９等が記載されている。そして、誘導体については、上記III−３−１で述べたニッサンエクストラオレイックシリーズのパンフレットに、当該シリーズの主な特徴として、香粧品分野等の利用に好適であると記載され（第４頁「３　ニッサンエクストラオレイックシリーズの特徴」の項）、当該高純度不飽和脂肪酸の誘導体の例示として「ジオレイルホスファチジルコリン」、エステルとして「モノ、ジ、トリ、−グリセライド、ソルビタンエステル、メチルエステルなど」と記載されている。）。
　
　もっとも、特許権者は、刊行物２には、特定の高純度オレイン酸誘導体を化粧料に用いた場合に伸びがよく、使用感がさっぱりした高いエモリエント効果を有する化粧料が得られるか否かは刊行物２には、記載も示唆もなく、刊行物２から予測できない顕著な効果があると述べている。
　しかしながら、刊行物２には、上述のように、エクストラオレイック−９９の誘導体を油性成分とする化粧料の発明が実質的に記載されているといえるから、エクストラオレイック−９９の誘導体を油性成分とする化粧料は、特許権者の指摘する上記性質も奏するはずである。
　したがって、上記主張は採用できない。
　
（２）オレイン酸を原料とする誘導体は、刊行物２に記載されているもののほか、刊行物１等で数多く知られている（例えば、刊行物１には、オレイン酸の誘導体であるオレイン酸デシルについて、「天然の油脂を原料にした高純度のオレイン酸と、同じく天然の油脂を原料にした高純度のデシルアルコールをエステル化することによって得られ」ること（第２５３頁の基原の項）、トリオレイン酸ソルビタンについては、「ソルビットと脂肪酸（オレイン酸）をソルビット１に対して３の割合（モル比）で・・・（略）・・・でエステル化反応を行う」（第７３７頁製法の項）と記載されている）。
　そして、刊行物２〜４において、本件発明で規定する程度の高純度のオレイン酸のすぐれた性質も記載されているのであるから、これら刊行物２に記載されている以外の誘導体を製造する際、当該高純度のオレイン酸を使用して、オレイン酸誘導体を製造し、油性成分として利用することを想到することに格別の困難はない。
　そして、その効果も、刊行物１や刊行物２で化粧料の油性成分として使用できるとされているオレイン酸誘導体成分について、当業者が油性成分の開発の際に通常確認する効果を確認したにすぎないものである（例えば、刊行物１には、オレイン酸デシルが「化粧品のクリーム、乳液、メーキャップ製品及びスキンンオイルなどに無刺激、湿潤力、浸透作用のある油分として使用されること」（応用の項）が記載されている。）。
　してみれば、本件発明は、刊行物１〜４に記載された発明に基づいて当業者が容易に発明できたものと認められる。
　
IV．結び
　以上のとおりであるから、本件発明は、特許法第２９条第１項第３号で規定する発明に該当する。
　さらに、本件発明は、特許法第２９条第２項の規定により、特許を受けることができないものである。
  したがって、本件発明についての特許は、拒絶の査定をしなければならない特許出願に対してされたものと認める。
　よって、結論のとおり決定する。
【異議決定日】
平成１５年１月２３日（２００３．１．２３）
【訂正の要旨】
（３．１）　特許第３０８９７４９号発明の明細書中の、特許請求の範囲の請求項１「オレイン酸（シス−Δ９−オクタデセン酸）の含量が８５重量％以上で、シス−Δ９−不飽和脂肪酸としての含量が９０重量％以上である高純度のオレイン酸またはその誘導体を、油性成分として含有することを特徴とする化粧料。」を、
特許請求の範囲の減縮を目的として、
「オレイン酸（シス−Δ９−オクタデセン酸）の含量が８５重量％以上で、シス−Δ９−不飽和脂肪酸としての含量が９０重量％以上である高純度のオレイン酸の誘導体を、油性成分として含有することを特徴とする化粧料。」と訂正する。
（３．２）これに伴い、特許請求の範囲の記載と発明の詳細な説明の記載との整合をとるため、
（ｉ）明細書の段落番号【０００４】の
「本発明は、従来品が有している問題点を排除したオレイン酸またはその誘導体を油性成分として含有してなる、のびが良く、使用感がさつぱりとしており、高いエモリエント効果を有する化粧料を提供することを目的としている。」を、
明瞭でない記載の釈明を目的として、
「本発明は、従来品が有している問題点を排除したオレイン酸またはその誘導体を油性成分として含有してなる、のびが良く、使用感がさつぱりとしており、高いエモリエント効果を有する化粧料を提供することを目的としている。」と訂正する。
（ｉｉ）明細書の段落番号【００１４】の
「これを要するに、従来のオレイン酸系油性材料の有していた問題点は、オレイン酸を高純度化することにより改善されることが明らかとなり、高純度のオレイン酸またはその誘導体を油性成分として含有してなる化粧料は、使用感とエモリエント効果にすぐれていることを見出し、本発明を完成するに至つた。」を、
明瞭でない記載の釈明を目的として、
「これを要するに、従来のオレイン酸系油性材料の有していた問題点は、オレイン酸を高純度化することにより改善されることが明らかとなり、高純度のオレイン酸の誘導体を油性成分として含有してなる化粧料は、使用感とエモリエント効果にすぐれていることを見出し、本発明を完成するに至つた。」と訂正する。
（ｉｉｉ）明細書の段落番号【００１５】の
「すなわち、本発明は、オレイン酸（シス−Δ９−オクタデセン酸）の含量が８５重量％以上で、シス−Δ９−不飽和脂肪酸としての含量が９０重量％以上である高純度のオレイン酸またはその誘導体を、油性成分として含有することを特徴とする化粧料に係るものである。」を、
明瞭でない記載の釈明を目的として、
「すなわち、本発明は、オレイン酸（シス−Δ９−オクタデセン酸）の含量が８５重量％以上で、シス−Δ９−不飽和脂肪酸としての含量が９０重量％以上である高純度のオレイン酸の誘導体を、油性成分として含有することを特徴とする化粧料に係るものである。」と訂正する。
（ｉｖ）明細書の段落番号【００１７】の
「本発明でいう高純度のオレイン酸またはその誘導体の誘導体種としては、メチルアルコ―ル、エチルアルコ―ル、プロピルアルコ―ル、ブチルアルコ―ル、ペンチルアルコ―ル、ヘキシルアルコ―ル、ヘプチルアルコ―ル、オクチルアルコ―ル、ノニルアルコ―ル、デシルアルコ―ル、ウンデシルアルコ―ル、ドデシルアルコ―ル、トリデシルアルコ―ル、テトラデシルアルコ―ル、ペンタデシルアルコ―ル、ヘキサデシルアルコ―ル、ヘプタデシルアルコ―ル、オクタデシルアルコ―ル、ノナデシルアルコ―ル、エイコシルアルコ―ル、ドコシルアルコ―ル、テトラコシルアルコ―ル、ヘキサコシルアルコ―ル、オクタコシルアルコ―ル、トリアコンチルアルコ―ルなどの直鎖飽和モノアルコ―ルとのエステル、ウンデセニルアルコ―ル、テトラデセニルアルコ―ル、ヘキサデセニルアルコ―ル、オクタデセニルアルコ―ル、エイコセニルアルコ―ル、ドコセニルアルコ―ル、テトラコセニルアルコ―ル、オクタデカジエニルアルコ―ル、オクタデカトリエニルアルコ―ル、エイコサテトラエニルアルコ―ル、エイコサペンタエニルアルコ―ル、ドコサヘキサエニルアルコ―ルなどの不飽和モノアルコ―ルとのエステル、イソプロピルアルコ―ル、イソブチルアルコ―ル、ｓｅｃ−ブチルアルコ―ル、ｔｅｒｔ−ブチルアルコ―ル、イソペンチルアルコ―ル、ネオペンチルアルコ―ル、２−エチルヘキシルアルコ―ル、イソノニルアルコ―ル、イソトリデシルアルコ―ル、イソミリスチルアルコ―ル、イソパルミチルアルコ―ル、イソステアリルアルコ―ル、ヘキシルデシルアルコ―ル、オクチルドデシルアルコ―ル、ノニルトリデシルアルコ―ル、ラノリンアルコ―ルなどの分枝モノアルコ―ルとのエステル、エチレングリコ―ル、プロピレングリコ―ル、ブチレングリコ―ル、ポリエチレングリコ―ル、ポリプロピレングリコ―ル、グリセロ―ル、ポリグリセロ―ル、トリメチロ―ルプロパン、ペンタエリスリト―ル、ソルビト―ル、ソルビタン、ソルバイド、シユクロ―ス、ラフイノ―スなどのポリアルコ―ルとのエステル、コレステロ―ル、コレスタロ―ル、ジヒドロコレステロ―ル、シトステロ―ル、フイトステロ―ル、シクロペンチルアルコ―ル、シクロヘキシルアルコ―ル、フエノ―ル、トコフエロ―ル、オリザノ―ル、グアヤコ―ル、キシレノ―ル、ゴツシポ―ルなどの環状および芳香族アルコ―ルとのエステル、フルオロアルコ―ルとのエステル、テルペンアルコ―ルとのエステル、各種アルコ―ルのポリオキシエチレン化およびポリオキシプロピレン化アルコ―ルとのエステル、高純度のオレイン酸を還元することによつて得られる高純度のオレイルアルコ―ルおよびこの高純度のオレイルアルコ―ルとのエステル、高純度のオレイン酸から得られる高純度のオレイルアミンおよびこの高純度のオレイルアミンとのアミド、アルキロ―ルアミン、アミノアルコ―ルとのエステルおよびアミド、アミンとのアミドおよび塩、アミノ酸とのアミド、アルカリとの塩、その他の金属との塩、高純度のオレイン酸を還元して得られる高純度のオレイルアルコ―ル、ポリアルコ―ルエステル、高純度のオレイン酸などのポリオキシエチレンおよびポリオキシプロピレンエ―テル化物、リン脂質、アシル化ペプタイドなどが挙げられる。」を、
明瞭でない記載の釈明を目的として、
「本発明でいう高純度のオレイン酸の誘導体種としては、メチルアルコ―ル、エチルアルコ―ル、プロピルアルコ―ル、ブチルアルコ―ル、ペンチルアルコ―ル、ヘキシルアルコ―ル、ヘプチルアルコ―ル、オクチルアルコ―ル、ノニルアルコ―ル、デシルアルコ―ル、ウンデシルアルコ―ル、ドデシルアルコ―ル、トリデシルアルコ―ル、テトラデシルアルコ―ル、ペンタデシルアルコ―ル、ヘキサデシルアルコ―ル、ヘプタデシルアルコ―ル、オクタデシルアルコ―ル、ノナデシルアルコ―ル、エイコシルアルコ―ル、ドコシルアルコ―ル、テトラコシルアルコ―ル、ヘキサコシルアルコ―ル、オクタコシルアルコ―ル、トリアコンチルアルコ―ルなどの直鎖飽和モノアルコ―ルとのエステル、ウンデセニルアルコ―ル、テトラデセニルアルコ―ル、ヘキサデセニルアルコ―ル、オクタデセニルアルコ―ル、エイコセニルアルコ―ル、ドコセニルアルコ―ル、テトラコセニルアルコ―ル、オクタデカジエニルアルコ―ル、オクタデカトリエニルアルコ―ル、エイコサテトラエニルアルコ―ル、エイコサペンタエニルアルコ―ル、ドコサヘキサエニルアルコ―ルなどの不飽和モノアルコ―ルとのエステル、イソプロピルアルコ―ル、イソブチルアルコ―ル、ｓｅｃ−ブチルアルコ―ル、ｔｅｒｔ−ブチルアルコ―ル、イソペンチルアルコ―ル、ネオペンチルアルコ―ル、２−エチルヘキシルアルコ―ル、イソノニルアルコ―ル、イソトリデシルアルコ―ル、イソミリスチルアルコ―ル、イソパルミチルアルコ―ル、イソステアリルアルコ―ル、ヘキシルデシルアルコ―ル、オクチルドデシルアルコ―ル、ノニルトリデシルアルコ―ル、ラノリンアルコ―ルなどの分枝モノアルコ―ルとのエステル、エチレングリコ―ル、プロピレングリコ―ル、ブチレングリコ―ル、ポリエチレングリコ―ル、ポリプロピレングリコ―ル、グリセロ―ル、ポリグリセロ―ル、トリメチロ―ルプロパン、ペンタエリスリト―ル、ソルビト―ル、ソルビタン、ソルバイド、シユクロ―ス、ラフイノ―スなどのポリアルコ―ルとのエステル、コレステロ―ル、コレスタロ―ル、ジヒドロコレステロ―ル、シトステロ―ル、フイトステロ―ル、シクロペンチルアルコ―ル、シクロヘキシルアルコ―ル、フエノ―ル、トコフエロ―ル、オリザノ―ル、グアヤコ―ル、キシレノ―ル、ゴツシポ―ルなどの環状および芳香族アルコ―ルとのエステル、フルオロアルコ―ルとのエステル、テルペンアルコ―ルとのエステル、各種アルコ―ルのポリオキシエチレン化およびポリオキシプロピレン化アルコ―ルとのエステル、高純度のオレイン酸を還元することによつて得られる高純度のオレイルアルコ―ルおよびこの高純度のオレイルアルコ―ルとのエステル、高純度のオレイン酸から得られる高純度のオレイルアミンおよびこの高純度のオレイルアミンとのアミド、アルキロ―ルアミン、アミノアルコ―ルとのエステルおよびアミド、アミンとのアミドおよび塩、アミノ酸とのアミド、アルカリとの塩、その他の金属との塩、高純度のオレイン酸を還元して得られる高純度のオレイルアルコ―ル、ポリアルコ―ルエステル、高純度のオレイン酸などのポリオキシエチレンおよびポリオキシプロピレンエ―テル化物、リン脂質、アシル化ペプタイドなどが挙げられる。」と訂正する。
（ｖ）明細書の段落番号【００１８】の
「本発明の化粧料の使用方法は、高純度のオレイン酸またはその誘導体を、油性成分として単独で用いてもよいし併用してもよく、さらにはこれらと他の成分とを併用するようにしてもよい。」を、
明瞭でない記載の釈明を目的として、
「本発明の化粧料の使用方法は、高純度のオレイン酸の誘導体を、油性成分として単独で用いてもよいし併用してもよく、さらにはこれらと他の成分とを併用するようにしてもよい。」と訂正する。
（ｖｉ）明細書の段落番号【００１９】の
「以上のように、本発明においては、高純度のオレイン酸またはその誘導体を油性成分として用いることにより、従来のオレイン酸系油性材料のような臭気，着色，経時安定性，皮膚刺激性などの問題がなく、のびが良く、使用感がさつぱりとしており、高いエモリエント効果を有する化粧料を提供できる。」を、明瞭でない記載の釈明を目的として、
「以上のように、本発明においては、高純度のオレイン酸の誘導体を油性成分として用いることにより、従来のオレイン酸系油性材料のような臭気，着色，経時安定性，皮膚刺激性などの問題がなく、のびが良く、使用感がさつぱりとしており、高いエモリエント効果を有する化粧料を提供できる。」と訂正する。
（５４）【発明の名称】
化粧料
（５７）【特許請求の範囲】
　【請求項１】　オレイン酸（シス−Δ９−オクタデセン酸）の含量が８５重量％以上で、シス−Δ９−不飽和脂肪酸としての含量が９０重量％以上である高純度のオレイン酸の誘導体を、油性成分として含有することを特徴とする化粧料。
【発明の詳細な説明】
　【０００１】
　【産業上の利用分野】
　本発明は、使用感が良好で高いエモリエント効果を有する化粧料に関する。
　【０００２】
　【従来の技術】
　化粧料に使用する油性材料として、これまでに多数のものが開発され、利用されてきている。化粧料の使用対象が皮膚，頭髪などの人体部位であるため、基本的には、人体皮脂の構成成分に似た材料が望ましい。人体皮脂には、オレイン酸およびそのエステルが主要成分として含まれていることから、これまでにも、オレイン酸系油性材料の開発が活発に続けられている。
　【０００３】
　【発明が解決しようとする課題】
　しかし、これまでのオレイン酸およびその誘導体は、臭気，着色，経時安定性が悪い、皮膚刺激性が強い、べたついて使用感が悪い、シヤ―プな物性を示さないなどの点から、化粧料の油性成分としてはほとんど利用されていない。
　【０００４】
　本発明は、従来品が有している問題点を排除したオレイン酸の誘導体を油性成分として含有してなる、のびが良く、使用感がさつぱりとしており、高いエモリエント効果を有する化粧料を提供することを目的としている。
　【０００５】
　【課題を解決するための手段】
　本発明者らは、上記の目的に対し、まず、従来のオレイン酸系油性製品の品質的特徴を明らかにするため、基本となつている従来のオレイン酸の脂肪酸組成を、ガスクロマトグラフイ―分析、特に脂肪酸の炭素鎖長と二重結合の数の違いはもちろんのこと、二重結合の位置や立体構造の異なる異性体をも分離することのできるキヤピラリイカラム：ＳＰ−２５６０（スペルコ社製）を用いたガスクロマトグラフイ―分析により、調べてみた。
　【０００６】
　その結果、従来のオレイン酸の純度は、５０〜６０重量％程度で、図２に示すガスクロマトグラフイ―分析のチヤ―トから、５０種類以上もの脂肪酸からなる混合物であること、またこの従来のオレイン酸には、酸化生成物や原料および製法由来の不純物がかなりの水準で含まれていることがわかつた。
　【０００７】
　つぎに、図１に上記同様のガスクロマトグラフイ―分析のチヤ―トを示す、純度が９９．９９重量％以上の超高純度のオレイン酸を調製して、その特性を調べてみたところ、つぎのような知見が得られた。
　【０００８】
　ａ）無色無臭である。
　ｂ）酸化，熱，薬品などによる安定性や長期保存安定性がすぐれている。
　ｃ）皮膚に対して無刺激であり、経口，皮下，腹腔投与による毒性も低く、安全性が高い。
　ｄ）のびが良く、べたつきや油つぽさが無くて皮膚感触がさつぱりとしており、エモリエント効果が大きい。
　ｅ）固体状態においては独特で多彩な多形現象や相転移挙動を示し、液体状態になつても液晶性の構造を有しており、温度の上昇と共にスメクチツク，ネマチツクと段階的に構造変化をして、６０℃以上になると等方液体となる。コンホメ―シヨンや分子運動性，分子集合状態は、温度依存的にダイナミツクに変化し、６０℃以下では常にラメラ配向状態にある。
　【０００９】
　このような特性、特に上記ｅの分子物性は、純度が低下すると消失し、低純度多成分系である従来のオレイン酸では全く発現しない。このことから、従来のオレイン酸は、物性論的には、オレイン酸としての性質は全く有していないことが明らかとなつた。
　【００１０】
　また、本発明者らは、上記の超高純度のオレイン酸を用いて、エステルやオレイルアルコ―ルなどの誘導体を合成し、その特性を調べてみた。その結果、前記ａ〜ｄの点については超高純度のオレイン酸と同等またはそれ以上のすぐれた特性を示し、物性については誘導体種によつて異なるが、シヤ―プであり、ラメラ配向性の強いことが共通した特徴となつていることがわかつた。
　【００１１】
　このように、超高純度のオレイン酸およびその誘導体の高いラメラ配向性や分子構造性，分子運動性，フレキシビリテイなどが、のびの良さやさつぱりとした使用感，高いエモリエント効果の要因となつており、化粧料の新規油性成分としての価値を創出している。
　【００１２】
　また、構造と物性との相関を追求した結果、Δ鎖長の同じ不飽和脂肪酸は近似したコンホメ―シヨンや配向性を示すことから、油注成分としての特性を向上させるには、オレイン酸の純度を高めることのほかに、Δ鎖長としての高純度化を図ることが有効であることが明らかとなつた。
　【００１３】
　これらの知見をふまえて、さらに検討を加えた結果、製品特性は、オレイン酸の純度が低下すると共に悪化するが、オレイン酸の純度が８５重量％以上、特に好適には９０重量％以上で、シス−Δ９−不飽和脂肪酸としての含量が９０重量％以上、特に好適には９３重量％以上であれば、オレイン酸特有のすぐれた性質が発現されて化粧料の油性成分として好適なものとなることがわかつた。
　【００１４】
　これを要するに、従来のオレイン酸系油性材料の有していた問題点は、オレイン酸を高純度化することにより改善されることが明らかとなり、高純度のオレイン酸の誘導体を油性成分として含有してなる化粧料は、使用感とエモリエント効果にすぐれていることを見出し、本発明を完成するに至つた。
　【００１５】
　すなわち、本発明は、オレイン酸（シス−Δ９−オクタデセン酸）の含量が８５重量％以上で、シス−Δ９−不飽和脂肪酸としての含量が９０重量％以上である高純度のオレイン酸の誘導体を、油性成分として含有することを特徴とする化粧料に係るものである。
　【００１６】
　本発明の化粧料とは、化粧水、クリ―ム、乳液、洗顔料、化粧油などの基礎化粧品や、フアンデ―シヨン、口紅、頬紅、アイライナ―、アイシヤド―、まゆずみなどの仕上化粧品、整髪料、養毛料などの頭髪化粧品などである。
　【００１７】
　本発明でいう高純度のオレイン酸の誘導体種としては、メチルアルコ―ル、エチルアルコ―ル、プロピルアルコ―ル、ブチルアルコ―ル、ペンチルアルコ―ル、ヘキシルアルコ―ル、ヘプチルアルコ―ル、オクチルアルコ―ル、ノニルアルコ―ル、デシルアルコ―ル、ウンデシルアルコ―ル、ドデシルアルコ―ル、トリデシルアルコ―ル、テトラデシルアルコ―ル、ペンタデシルアルコ―ル、ヘキサデシルアルコ―ル、ヘプタデシルアルコ―ル、オクタデシルアルコ―ル、ノナデシルアルコ―ル、エイコシルアルコ―ル、ドコシルアルコ―ル、テトラコシルアルコ―ル、ヘキサコシルアルコ―ル、オクタコシルアルコ―ル、トリアコンチルアルコ―ルなどの直鎖飽和モノアルコ―ルとのエステル、ウンデセニルアルコ―ル、テトラデセニルアルコ―ル、ヘキサデセニルアルコ―ル、オクタデセニルアルコ―ル、エイコセニルアルコ―ル、ドコセニルアルコ―ル、テトラコセニルアルコ―ル、オクタデカジエニルアルコ―ル、オクタデカトリエニルアルコ―ル、エイコサテトラエニルアルコ―ル、エイコサペンタエニルアルコ―ル、ドコサヘキサエニルアルコ―ルなどの不飽和モノアルコ―ルとのエステル、イソプロピルアルコ―ル、イソブチルアルコ―ル、ｓｅｃ−ブチルアルコ―ル、ｔｅｒｔ−ブチルアルコ―ル、イソペンチルアルコ―ル、ネオペンチルアルコ―ル、２−エチルヘキシルアルコ―ル、イソノニルアルコ―ル、イソトリデシルアルコ―ル、イソミリスチルアルコ―ル、イソパルミチルアルコ―ル、イソステアリルアルコ―ル、ヘキシルデシルアルコ―ル、オクチルドデシルアルコ―ル、ノニルトリデシルアルコ―ル、ラノリンアルコ―ルなどの分枝モノアルコ―ルとのエステル、エチレングリコ―ル、プロピレングリコ―ル、ブチレングリコ―ル、ポリエチレングリコ―ル、ポリプロピレングリコ―ル、グリセロ―ル、ポリグリセロ―ル、トリメチロ―ルプロパン、ペンタエリスリト―ル、ソルビト―ル、ソルビタン、ソルバイド、シユクロ―ス、ラフイノ―スなどのポリアルコ―ルとのエステル、コレステロ―ル、コレスタロ―ル、ジヒドロコレステロ―ル、シトステロ―ル、フイトステロ―ル、シクロペンチルアルコ―ル、シクロヘキシルアルコ―ル、フエノ―ル、トコフエロ―ル、オリザノ―ル、グアヤコ―ル、キシレノ―ル、ゴツシポ―ルなどの環状および芳香族アルコ―ルとのエステル、フルオロアルコ―ルとのエステル、テルペンアルコ―ルとのエステル、各種アルコ―ルのポリオキシエチレン化およびポリオキシプロピレン化アルコ―ルとのエステル、高純度のオレイン酸を還元することによつて得られる高純度のオレイルアルコ―ルおよびこの高純度のオレイルアルコ―ルとのエステル、高純度のオレイン酸から得られる高純度のオレイルアミンおよびこの高純度のオレイルアミンとのアミド、アルキロ―ルアミン、アミノアルコ―ルとのエステルおよびアミド、アミンとのアミドおよび塩、アミノ酸とのアミド、アルカリとの塩、その他の金属との塩、高純度のオレイン酸を還元して得られる高純度のオレイルアルコ―ル、ポリアルコ―ルエステル、高純度のオレイン酸などのポリオキシエチレンおよびポリオキシプロピレンエ―テル化物、リン脂質、アシル化ペプタイドなどが挙げられる。
　【００１８】
　本発明の化粧料の使用方法は、高純度のオレイン酸の誘導体を、油性成分として単独で用いてもよいし併用してもよく、さらにはこれらと他の成分とを併用するようにしてもよい。
　【００１９】
　【発明の効果】
　以上のように、本発明においては、高純度のオレイン酸の誘導体を油性成分として用いることにより、従来のオレイン酸系油性材料のような臭気，着色，経時安定性，皮膚刺激性などの問題がなく、のびが良く、使用感がさつぱりとしており、高いエモリエント効果を有する化粧料を提供できる。
　【００２０】
　【実施例】
　つぎに、実施例によつて本発明を説明するが、本発明はこれらの実施例に限定されるものではない。なお、実施例中の％は重量％を示し、比較例中のオレイン酸純度５７重量％で、シス−Δ９−不飽和脂肪酸純度６６重量％のオレイン酸は、従来のオレイン酸を示す。また、実施例で採用した使用性の評価方法およびオレイン酸などの純度分析方法は、つぎのとおりである。
　【００２１】
　＜使用性の評価試験方法＞
　女性パネラ―２０名により、臭気，のび，さつぱり感，エモリエント効果などの使用感を下記の基準にしたがつて評価した。
　　良いと答えた人数が１８人以上：◎
　　良いと答えた人数が１３〜１７人：○
　　良いと答えた人数が７〜１２人：△
　　良いと答えた人数が６人以下：×
　【００２２】
　＜純度分析方法＞
　二重結合の位置や立体構造の異なる異性体を分離することのできるキヤピラリイカラム（ＳＰ−２５６０；０．２５ｍｍ×１００ｍ）を装着したガスクロマトグラフイ―による。
　【００２３】
　実施例１〜５，比較例１〜３表１に示す純度の異なるオレイン酸の誘導体であるグリセロ―ルモノオレ―トを油性成分とする化粧水を、下記の処方により調製し、その使用性を評価した。結果を表１に示す。
　＜処方＞
　　油性成分：グリセロ―ルモノオレ―ト　３％
　　可溶化剤：ポリオキシエチレン（２５モル）オレイルエ―テル　２％
　　　　　　　エチルアルコ―ル　１０％
　　水相：精製水　８０％
　　　　　グリセロ―ル　５％
　【００２４】
　【表１】
　【００２５】
　実施例６〜１０，比較例４〜６表２に示す純度の異なるオレイン酸の誘導体であるジオレオイルホスフアチジルコリンを油性成分とする化粧水を、下記の処方により調製し、その使用性を評価した。結果を表２に示す。
　＜処方＞
　　油性成分：ジオレオイルホスフアチジルコリン　２％
　　可溶化剤：ポリオキシエチレン（２０モル）ソルビタンモノラウレ―ト　１％
　　　　　　　エチルアルコ―ル　１５％
　　水相：精製水　８０％
　　　　　プロピレングリコ―ル　２％
　【００２６】
　【表２】
　【００２７】
　実施例１１〜１５，比較例７〜９表３に示す純度の異なるオレイン酸の誘導体であるオレイルグルタメ―トを油性成分とする化粧水を、下記の処方により調製し、その使用性を評価した。結果を表３に示す。
　＜処方＞
　　油性成分：オレイルグルタメ―ト　３％
　　　　　　　エチルアルコ―ル　１０％
　　水相：精製水　８５％
　　　　　ソルビト―ル　２％
　【００２８】
　【表３】
　【００２９】
　実施例１６〜２０，比較例１０〜１２表４に示す純度の異なるオレイン酸の誘導体であるヘキサデセニルオレ―トを油性成分とするエモリエントクリ―ムを、下記の処方により調製し、その使用性を評価した。結果を表４に示す。
　＜処方＞
　　油性成分：ヘキサデセニルオレ―ト　７０％
　　乳化剤：ポリオキシエチレン（１０モル）オレイルエ―テル　５％
　　水相：精製水　２２％
　　　　　グリセロ―ル　３％
　【００３０】
　【表４】
　【００３１】
　実施例２１〜２５，比較例１３〜１５表５に示す純度の異なるオレイン酸の誘導体であるエチルオレ―トを油性成分とするエモリエントクリ―ムを、下記の処方により調製し、その使用性を評価した。結果を表５に示す。
　＜処方＞
　　油性成分：エチルオレ―ト　６５％
　　乳化剤：ジグリセロ―ルモノオレ―ト　５％
　　水相：精製水　２８％
　　　　　グリセロ―ル２％
　【００３２】
　【表５】
　【００３３】
　実施例２６〜３０，比較例１６〜１８表６に示す純度の異なるオレイン酸と、そのそれぞれのオレイン酸を還元して得たオレイルアルコ―ルとを、純度を対応させてエステル化して、純度の異なるオレイルオレ―トを調製した。このオレイルオレ―トを油性成分とするエモリエントクリ―ムを、下記の処方により調製し、その使用性を評価した。結果を表６に示す。
　＜処方＞
　　油性成分：オレイルオレ―ト　４０％
　　乳化剤：グリセロ―ルモノオレ―ト　２．５％
　　　　　　ポリオキシエチレン（２０モル）オレイルオレ―ト　１．５％
　　水相：精製水　５３％
　　　　　プロピレングリコ―ル　３％
　【００３４】
　【表６】
　【００３５】
　実施例３１〜３５，比較例１９〜２１表７に示す純度の異なるオレイン酸の誘導体であるグリセロ―ルトリオレ―トを油性成分とするエモリエントクリ―ムを、下記の処方により調製し、その使用性を評価した。結果を表７に示す。
　＜処方＞
　　油性成分：グリセロ―ルトリオレ―ト　７５％
　　乳化剤：ソルビタンセスキオレ―ト　３．５％
　　　　　　ポリオキシエチレン（２０モル）ソルビタンモノオレ―ト　１．５％
　　水相：精製水　１７％
　　　　　ソルビト―ル　３％
　【００３６】
　【表７】
　【００３７】
　実施例３６〜４０，比較例２２〜２４表８に示す純度の異なるオレイン酸の誘導体である２−オクチルドデシルオレ―トを油性成分とするバニシングクリ―ムを、下記の処方により調製し、その使用性を評価した。結果を表８に示す。
　＜処方＞
　　油性成分：２−オクチルドデシルオレ―ト　２０％
　　乳化剤：グリセロ―ルモノステアレ―ト　２％
　　　　　　ポリオキシエチレン（２０モル）ソルビタンモノステアレ―ト　１％
　　水相：精製水　７２％
　　　　　ソルビト―ル　５％
　【００３８】
　【表８】
　【００３９】
　実施例４１〜４５，比較例２５〜２７表９に示す純度の異なるオレイン酸の誘導体であるテトラヒドロトリデカフルオロオクチルオレ―トを油性成分とする、はつ水性化粧油を、下記の処方により調製し、その使用性を評価した。結果を表９に示す。
　＜処方＞
　　油性成分：テトラヒドロトリデカフルオロオクチルオレ―ト　１００％
　【００４０】
　【表９】
　【００４１】
　実施例４６〜５０，比較例２８〜３０表１０に示す純度の異なるオレイン酸と、その誘導体であるコレステロ―ルオレ―トを油性成分とする乳液を、下記の処方により調製し、その使用性を評価した。結果を表１０に示す。
　＜処方＞
　　油性成分：オレイン酸　２％
　　　　　　　コレステロ―ルオレ―ト　１０％
　　乳化剤：ジグリセロ―ルモノオレ―ト　１％
　　　　　　ポリオキシエチレン（２０モル）オレイルエ―ル　２％
　　水相：精製水　８５％
　【００４２】
　【表１０】
　【００４３】
　実施例５１〜５５，比較例３１〜３３表１１に示す純度の異なるオレイン酸の誘導体であるグリセロ―ルジオレ―トを油性成分とする乳液を、下記の処方により調製し、その使用性を評価した。結果を表１１に示す。
　＜処方＞
　　油性成分：グリセロ―ルジオレ―ト　１５％
　　乳化剤：ポリオキシエチレン（１０モル）ソルビタンモノオレ―ト　３％
　　水相：精製水　８２％
　【００４４】
　【表１１】
　【００４５】
　実施例５６〜６０，比較例３４〜３６表１２に示す純度の異なるオレイン酸の誘導体であるトコフエロ―ルオレ―トを油性成分とする乳液を、下記の処方により調製し、その使用性を評価した。結果を表１２に示す。
　＜処方＞
　　油性成分：トコフエロ―ルオレ―ト　１０％
　　乳化剤：シユクロ―スモノオレ―ト　３％
　　水相：精製水　８４％
　　　　　グリセロ―ル　３％
　【００４６】
　【表１２】
　【００４７】
　実施例６１〜６５，比較例３７〜３９表１３に示す純度の異なるオレイン酸の誘導体であるイソプロピルオレ―トを油性成分とするクレンジングクリ―ムを、下記の処方により調製し、その使用性を評価した。結果を表１３に示す。
　＜処方＞
　　油性成分：イソプロピルオレ―ト　８０％
　　乳化剤：ポリオキシエチレン（２０モル）オレイルエ―テル　３％
　　　　　　ポリオキシエチレン（５モル）ソルビタンモノラウレ―ト　２％
　　水相：精製水　１２％
　　　　　グリセロ―ル　３％
　【００４８】
　【表１３】
　【００４９】
　実施例６６〜７０，比較例４０〜４２表１４に示す純度の異なるオレイン酸を油性成分とするクレンジングクリ―ムを、下記の処方により調製し、その使用性を評価した。結果を表１４に示す。
　＜処方＞
　　油性成分：オレイン酸　４０％
　　水相：精製水　５３％
　　　　　水酸化カリウム　７％
　【００５０】
　【表１４】
　【００５１】
　実施例７１〜７５，比較例４３〜４５表１５に示す純度の異なるオレイン酸の誘導体であるオレイルグルタメ―トを油性成分とするクレンジングクリ―ムを、下記の処方により調製し、その使用性を評価した。結果を表１５に示す。
　＜処方＞
　　油性成分：オレイルグルタメ―ト　４５％
　　水相：精製水　５０％
　　　　　ポリエチレングリコ―ル　５％
　【００５２】
　【表１５】
　【００５３】
　実施例７６〜８０，比較例４６〜４８表１６に示す純度の異なるオレイン酸とその誘導体であるイソステアリルオレ―トを油性成分とする乳液状フアンデ―シヨンを、下記の処方により調製し、その使用性を評価した。結果を表１６に示す。
　＜処方＞
　　油性成分：オレイン酸　４％
　　　　　　　イソステアリルオレ―ト　１７％
　　水相：精製水　６５％
　　　　　トリエタノ―ルアミン　１．９％
　　顔料：酸化チタン　８％
　　　　　タルク　４％
　　　　　着色顔料　０．１％
　【００５４】
　【表１６】
　【００５５】
　実施例８１〜８５，比較例４９〜５１表１７に示す純度の異なるオレイン酸の誘導体であるドコセニルオレ―ト、オクタコシルオレ―トおよびグリセロ―ルモノオレ―トを油性成分とする口紅を、下記の処方により調製し、その使用性を評価した。結果を表１７に示す。
　＜処方＞
　　油性成分：ドコセニルオレ―ト　４５％
　　　　　　　オクタコシルオレ―ト　１５％
　　　　　　　グリセロ―ルモノオレ―ト　３０％
　　色材：酸化チタン　１％
　　　　　赤色２０１号　１％
　　　　　赤色２０２号　１％
　　　　　青色１号アルミニウムキレ―ト　０．５％
　　　　　雲母チタン　６．５％
　【００５６】
　【表１７】
　【００５７】
　実施例８６〜９０，比較例５２〜５４表１８に示す純度の異なるオレイン酸の誘導体であるオレイルアルコ―ルを油性成分とするヘアリキツドを、下記の処方により調製し、その使用性を評価した。結果を表１８に示す。
　＜処方＞
　　油性成分：オレイルアルコ―ル　５％
　　　　　　　酢酸トコフエロ―ル　１％
　　　　　　　エチルアルコ―ル　７０％
　　水相：精製水　１７％
　　　　　ポリオキシプロピレンブチルエ―テル　７％
　【００５８】
　【表１８】
　【００５９】
　実施例９１〜９５，比較例５５〜５７表１９に示す純度の異なるオレイン酸の誘導体であるオクタデシルオレ―トを油性成分とするヘアクリ―ムを、下記の処方により調製し、その使用性を評価した。結果を表１９に示す。
　＜処方＞
　　油性成分：オクタデシルオレ―ト　１５％
　　乳化剤：ポリオキシエチレン（２０モル）ステアリルエ―テル　４％
　　　　　　ソルビタンモノステアレ―ト　１％
　　水相：精製水　７５％
　　　　　プロピレングリコ―ル　５％
　【００６０】
　【表１９】
　【００６１】
　実施例９６〜１００，比較例５８〜６０表２０に示す純度の異なるオレイン酸の誘導体であるグリセロ―ルモノオレ―トを油性成分とする養毛料を、下記の処方により調製し、その使用性を評価した。結果を表２０に示す。
　＜処方＞
　　油性成分：グリセロ―ルモノオレ―ト　５％
　　　　　　　トコフエロ―ルニコチネ―ト　０．５％
　　養毛成分：セフアランチン　１％
　　　　　　　ヒノキチオ―ル　０．１％
　　　　　　　エチルアルコ―ル　９３．４％
　【００６２】
　【表２０】
　【００６３】
　実施例１０１〜１０５，比較例６１〜６３表２１に示す純度の異なるオレイン酸の誘導体であるソルビタンモノオレ―トを油性成分とする養毛料を、下記の処方により調製し、その使用性を評価した。結果を表２１に示す。
　＜処方＞
　　油性成分：ソルビタンモノオレ―ト　３％
　　　　　　　α−トコフエロ―ル　０．５％
　　養毛成分：塩化カルプロニウム　１％
　　　　　　　センブリエキス　０．１％
　　　　　　　エチルアルコ―ル　９５．４％
　【００６４】
　【表２１】
　【００６５】
　上記の表１〜２１の結果から明らかなように、本発明で規定する高純度のオレイン酸またはその誘導体を、油性成分として用いた実施例１〜１０５の化粧料は、いずれも、臭気，のび，さつぱり感，エモリエント効果などの使用感に非常にすぐれたものであることがわかる。
【図面の簡単な説明】
　【図１】
　超高純度のオレイン酸のガスクロマトグラフイ―分析の結果を示すチヤ―トである。
　【図２】
　従来の化粧料に用いられていた低純度のオレイン酸のガスクロマトグラフイ―分析の結果を示すチヤ―トである。
【図面】